(57)【要約】【課題】  操作部筐体に対して表示部筐体をスライド可能な携帯電話端末において、スピーカから発せられる通話相手の音声をマイクに入りにくくすることにより、エコーの発生を低減することを目的とする。【解決手段】  表示部筐体２には、通話相手の音声を発するスピーカ６ｂを内部に有するスピーカ孔６ａと表示部５が配置されている。また、操作部筐体３には、内部にマイク９ｂを有するマイク孔９ａと、操作キー等からなる操作部８が配置されている。更に、操作部筐体３表面のマイク孔９ａ周辺部に突起１０ａを設ける。また、操作部筐体２裏面において、携帯電話端末１の本体収縮時にマイク孔９ａと対向する位置に突起７ａを設ける。前記突起７ａ、９ａが、本体収縮時に本体厚み方向にて接触することにより、マイク孔９ａの周囲に壁を作る構造を備えている。【選択図】        図３
2006135889.tif 000002
【特許請求の範囲】
【請求項１】
操作部筐体に対して表示部筐体がスライドし、本体が収縮または伸長する携帯電話端末において、
前記操作部筐体表面のマイク孔周辺部に設けた突起、または本体収縮時に前記表示部筐体裏面の前記マイク孔と対向する位置に設けた突起のうち少なくともどちらか一方が、本体収縮時に対向する筐体と接触することを特徴とする携帯電話端末。
【請求項２】
本体収縮時に、前記操作部筐体上の突起と前記表示部筐体上の突起が本体厚み方向にて接触することを特徴とする請求項１記載の携帯電話端末。
【請求項３】
本体収縮時に、前記操作部筐体上の突起と前記表示部筐体上の突起が本体の全長方向にて隣接することを特徴とする請求項１記載の携帯電話端末。
【請求項４】
本体収縮時に、前記表示部筐体上の突起と前記操作部筐体が本体の厚み方向にて接触することを特徴とする請求項１記載の携帯電話端末。
【請求項５】
本体収縮時に、前記操作部筐体上の突起と前記表示部筐体が本体の厚み方向にて接触することを特徴とする請求項１記載の携帯電話端末。
【請求項６】
前記操作部筐体上の突起または前記表示部筐体上の突起を自己潤滑性部材としたことを特徴とする請求項２から請求項４のうちいずれか１項記載の携帯電話端末。
【発明の詳細な説明】
【技術分野】
【０００１】
この発明は、操作部筐体に対して表示部筐体をスライドさせて使用する携帯電話端末に関するものであり、特に、操作部筐体に組み込まれたマイクの周辺構造に関するものである。
【背景技術】
【０００２】
従来の、操作部筐体に対して表示部筐体をスライドさせて使用する携帯電話端末においては、マイクの開口孔を操作部筐体の底面に配置していた。そのため、本体が収縮状態の時に通話を行うと、スピーカからの通話相手の音声が表示部筐体の上部を回り込んで表示部筐体と操作部筐体との隙間に侵入する。隙間に進入した通話相手の音声は、二つの筐体間を反射することによりマイクに入り易く、その結果、通話相手に通話相手自身が発した音声が聞こえる現象（以下、エコー）が生じていた。
【０００３】
一方で、使用者の音声をよりマイクに届くようにする目的で、マイク穴の周囲をやや凹ませた形状として、本体が収縮時でも、使用者の音声がマイクまで到達し易い構造とした携帯電話端末が提供されている（例えば、特許文献１参照）。
【０００４】
また、受話部と送話部が同一面上に間隔をおいて設けられた電話機を、送受話面を下にして水平面上においた場合に、受話部と送話部が音響結合してエコーを発生させる問題を解決する目的で、送話部の近傍かつ受話部側に、受話部からの音声を遮断する凸部を有するものが提供されている（例えば、特許文献２参照）。
【０００５】
【特許文献１】特開２００３−１１０６７５号公報  第２頁  第１図
【特許文献２】実公平６−２５０８５号公報
【発明の開示】
【発明が解決しようとする課題】
【０００６】
従来の表示部筐体と操作部筐体からなる携帯電話端末は、以上のように構成されていたので、本体が収縮状態時に通話を行うと、スピーカからの通話相手の音声が表示部筐体の上部を回り込んで両筐体の隙間に侵入する。その結果、二つの筐体間にて通話相手の音声が反射を繰り返す事によってマイクに入り易く、エコーが発生しやすいという課題があった。
【０００７】
また、特許文献１の携帯電話端末でも、使用者の音声が明確に送信されるように意図されているものの、エコーの問題に関しては特に改善は図られていない。更に、特許文献２の電話機では、送受話面を下にして水平面上に置いたときに床面と送話部、受話部で一体の空間が形成されないようにするものであり、スライド式の携帯電話端末ではマイク孔とスピーカ孔が同一平面上になく、また表示部筐体の上部を回り込んで表示部筐体と操作部筐体の隙間に侵入する音声がエコーの原因になるため、新たな解決策が必要であった。
【０００８】
この発明は上記のような課題を解消するためになされたもので、操作部筐体に対して表示部筐体をスライド可能な携帯電話端末において、スピーカから発せられる通話相手の音声をマイクに入りにくくすることにより、エコーの発生を低減することを目的とする。
【課題を解決するための手段】
【０００９】
この発明に係る携帯電話端末は、操作部筐体に対してスライド可能な表示部筐体を備えており、表示部筐体には、通話相手の音声を発するスピーカを内部に有するスピーカ孔と表示部が配置されている。また、操作部筐体には、内部にマイクを有するマイク孔と、操作キー等からなる操作部が配置されている。更に、操作部筐体表面のマイク孔周辺部に突起を設ける。或いは、操作部筐体裏面において、本体収縮時にマイク孔と対向する位置に突起を設ける。前記突起のうち少なくともどちらか一方が、本体収縮時に対向する筐体と接触することにより、マイク孔の周囲に壁を作る構造を備えている。その結果、スピーカからの通話相手の音声がマイクに入りにくい構造としている。
【発明の効果】
【００１０】
この発明によれば、操作部筐体に対して表示部筐体をスライド可能な携帯電話端末において、本体が収縮状態での通話時に、スピーカからの通話相手の音声をマイクに入りにくくすることによりエコーを低減する効果がある。
【発明を実施するための最良の形態】
【００１１】
実施の形態１．
以下、この発明の実施の形態１について説明する。図１は本発明に係る携帯電話端末が伸長した図であり、図２は、図１の携帯電話端末が収縮した図である。携帯電話端末１は表示部筐体２と操作部筐体３から成り、二つの筐体間に配置された結合部によって結合されている。また、操作部筐体３に対して表示部筐体２は長さ方向にスライド可能であり、携帯電話端末１の本体は伸縮自在となっている。表示部筐体２にはその表面中央付近に液晶等の表示部５と、その上方にスピーカ孔６ａを備えている。一方、操作部筐体３はその表面に操作キー等からなる操作部８と、その下方にはマイク孔９ａを備えている。スピーカ孔６ａ内部にはスピーカが収納され、マイク孔９ａの内部にはマイクが収納されている。更に、図１に示すように、マイク孔９ａの周囲には、マイク孔９ａを囲むように表示部筐体３側に向かって突起１０が設けられている。また、図示しないが、図２で表示部筐体２の裏面でマイク孔９ａと対向する位置にも突起１０と同形状の突起が設けられている。
これらの突起の設置形態については後述する。
【００１２】
図３は実施の形態１に係る携帯電話端末１が収縮した状態での概略の縦断面図であり、図４は、図３の操作部筐体下部（二点鎖線Ａ部）の拡大図である。図３において、表示部筐体２の下側に操作部筐体３がそれぞれの上面を上に向けた状態で、結合部４でスライド自在に結合されている。表示部筐体２の表面上部にスピーカ孔６a、その内部に通話相手の音声を発生するスピーカ６ｂが配置され、裏面の下部には突起７ａが設けられている。また、操作部筐体３の表面には操作部８が配置され、その下部にマイク孔９a、その内部にマイク９ｂが配置されている。マイク孔９ａの周囲には、表示部筐体３側に向かって突起１０ａが設けられている。
【００１３】
次に、動作について説明する。図３のように、操作部８が表示部筐体２に隠された状態（収縮状態）の場合、スピーカ６ｂより発生した通話相手の音声はスピーカ孔６ａを通り、表示部筐体２の上端を回り込んで上方から表示部筐体２と操作部筐体３の隙間に侵入する。ここで、図４に示すように、表示部筐体２の突起７ａと操作部筐体３の突起１０ａが本体厚み方向に接触することによってマイク孔９a周囲に壁をつくり、スピーカ６ｂからの音声をマイク９ｂに入りにくくする。
【００１４】
以上のように、この実施の形態１によれば、スライド可能な表示部筐体２と操作部筐体３からなる携帯電話端末１において、両筐体が収縮状態での通話時に、スピーカ６ｂからの通話相手の音声をマイク９ｂに入りにくくすることにより、エコーを低減する効果がある。
【００１５】
実施の形態２．
以下、この発明の実施の形態２について説明する。図５は実施の形態２に係る携帯電話端末１が収縮した状態での概略の縦断面図であり、図６は、図５の操作部筐体下部（二点差線Ｂ部）の拡大図である。実施の形態２は実施の形態１と比較して、突起の配置が異なる以外は同構成である。従って、以下は相違点のみ説明する。図５、６に示すように、収縮状態の場合、表示部筐体２の裏面下部に設けた突起７ｂと操作部筐体３の表面下部に設けた突起１０ｂが、本体全長方向に隣接することによってマイク孔９a周囲に壁をつくり、スピーカ６ｂからの通話相手の音声をマイク９ｂに入りにくくする。なお、突起７ｂと１０ｂの隣接順序は図６と逆になってもよい。
【００１６】
以上のように、この実施の形態２によれば、スライド可能な表示部筐体２と操作部筐体３からなる携帯電話端末１において、本体が収縮状態での通話時に、スピーカ６ｂからの通話相手の音声をマイク９ｂに入りにくくすることにより、エコーを低減する効果がある。
【００１７】
実施の形態３．
以下、この発明の実施の形態３について説明する。図７は携帯電話端末１が収縮した状態での概略の縦断面図であり、図８は、図７の操作部筐体下部（二点鎖線Ｃ部）の拡大図である。実施の形態２は実施の形態１と比較して、突起の配置が異なる以外は同構成である。従って、以下は相違点のみ説明する。図７、８に示すように、収縮状態の場合、表示部筐体２の裏面下部に設けた突起７ｃと操作部筐体３が、本体厚み方向に接触することによってマイク孔９a周囲に壁をつくり、両筐体間にて反射を繰り返すスピーカ６ｂからの通話相手からの音声をマイク９ｂに入りにくくする。
【００１８】
以上のように、この実施の形態３によれば、スライド可能な表示部筐体２と操作部筐体３からなる携帯電話端末１において、本体が収縮状態での通話時に、スピーカ６ｂからの通話相手の音声をマイク９ｂに入りにくくすることにより、エコーを低減する効果がある。
【００１９】
実施の形態４．
以下、この発明の実施の形態４について説明する。図９は携帯電話端末１が収縮した状態での概略の縦断面図であり、図９は、図１０の操作部筐体下部（二点鎖線Ｄ部）の拡大図である。実施の形態２は実施の形態１と比較して、突起の配置が異なる以外は同構成である。従って、以下は相違点のみ説明する。図９、１０に示すように、収縮状態の場合、表示部筐体２と操作部筐体３の表面下部に設けた突起１０ｄが、本体厚み方向に接触することによってマイク孔９a周囲に壁をつくり、スピーカ６ｂからの通話相手の音声をマイク９ｂに入りにくくする。
【００２０】
以上のように、この実施の形態４によれば、スライド可能な表示部筐体２と操作部筐体３からなる携帯電話端末１において、本体が収縮状態での通話時に、スピーカ６ｂからの通話相手の音声をマイク９ｂに入りにくくすることにより、エコーを低減する効果がある。
【００２１】
実施の形態５．
以下、この発明の実施の形態５について説明する。実施の形態５は実施の形態１〜４において、表示部筐体または操作部筐体に設けられた突起を、自己潤滑性部材としたものである。自己潤滑性部材としては、例えば摩擦係数の低いポリフッ化エチレン（ポリテトラフルオロエチレン）樹脂等が挙げられる。
【００２２】
以上のように、この実施の形態５によれば、エコーの低減の効果に加えて、表示部筐体２と操作部筐体３のスムーズなスライド動作を実現できるという効果がある。
【図面の簡単な説明】
【００２３】
【図１】本発明に係る携帯電話端末が伸長した図である。
【図２】図１の携帯電話端末が収縮した図である。
【図３】実施の形態１に係る携帯電話端末１が収縮した状態での概略の縦断面図である。
【図４】図３の操作部筐体下部（二点鎖線Ａ部）の拡大図である。
【図５】実施の形態２に係る携帯電話端末１が収縮した状態での概略の縦断面図である。
【図６】図５の操作部筐体下部（二点鎖線Ｂ部）の拡大図である。
【図７】実施の形態３に係る携帯電話端末１が収縮した状態での概略の縦断面図である。
【図８】図７の操作部筐体下部（二点鎖線Ｃ部）の拡大図である。
【図９】実施の形態４に係る携帯電話端末１が収縮した状態での概略の縦断面図である。
【図１０】図９の操作部筐体下部（二点鎖線Ｄ部）の拡大図である。
【符号の説明】
【００２４】
１  携帯電話端末、２  表示部筐体、３  操作部筐体、４  結合部、５  表示部、６ａ  スピーカ孔、６ｂ  スピーカ、７ａ  突起、７ｂ  突起、７ｃ  突起、８  操作部、９ａ  マイク孔、９ｂ  マイク、１０  突起、１０ａ  突起、１０ｂ  突起、１０ｄ  突起。
【図１】
2006135889.tif 000003
【図２】
2006135889.tif 000004
【図３】
2006135889.tif 000005
【図４】
2006135889.tif 000006
【図５】
2006135889.tif 000007
【図６】
2006135889.tif 000008
【図７】
2006135889.tif 000009
【図８】
2006135889.tif 000010
【図９】
2006135889.tif 000011
【図１０】
2006135889.tif 000012